【手続補正書】
【提出日】平成18年11月13日(2006.11.13)
【手続補正１】
【補正対象書類名】明細書
【補正対象項目名】特許請求の範囲
【補正方法】変更
【補正の内容】
【特許請求の範囲】
【請求項１】  ノンインターレースの動画像データを符号化する動画像符号化装置であって、
ノンインターレースの動画像データを入力する入力手段と、
前記動画像データの第１フレームを周波数変換して複数のサブバンドに分解する第１のサブバンド分解手段と、
前記第１フレームの次の第２フレームを、前記第１のサブバンド分解手段とは異なる方法で周波数変換し、複数のサブバンドに分解する第２のサブバンド分解手段と、
複数のサブバンドに分解された前記第１及び第２フレームを符号化する符号化手段と、
符号化されたフレームを出力する出力手段と
を備えることを特徴とする動画像符号化装置。
【請求項２】  前記第１のサブバンド分解手段と第２のサブバンド分解手段は、最初の垂直方向のサブバンド分解において分解フィルタの適用方法が１ライン分ずれていることを特徴とする請求項１記載の動画像符号化装置。
【請求項３】  前記第１のサブバンド分解手段および第２のサブバンド分解手段は、前記第１及び第２フレームを垂直方向に周波数変換して２つのサブバンドに分解し、一方のサブバンドについて水平方向、垂直方向に更に同数分解することを特徴とする請求項１又は２に記載の動画像符号化装置。
【請求項４】  前記第１及び第２のサブバンド分解手段が、離散ウェーブレット変換を用いて前記第１及び第２フレームのそれぞれを複数のサブバンドに分解することを特徴とする請求項１から３のいずれか１項に記載の動画像符号化装置。
【請求項５】  ノンインターレースの動画像データを符号化する動画像符号化装置であって、
ノンインターレースの動画像データを入力する入力手段と、
前記動画像データの第１フレームの次の第２フレームを垂直方向に１ラインデータ分シフトさせるラインシフト手段と、
前記第１フレーム及び１ラインデータ分シフトされた前記第２フレームを周波数変換して複数のサブバンドに分解するサブバンド分解手段と、
複数のサブバンドに分解された前記第１及び第２フレームを符号化する符号化手段と、
符号化されたフレームを出力する出力手段と
を備えることを特徴とする動画像符号化装置。
【請求項６】  前記サブバンド分解手段が、２次元離散ウェーブレット変換を用いて前記第１及び第２フレームのそれぞれを複数のサブバンドに分解することを特徴とする請求項５記載の動画像符号化装置。
【請求項７】  請求項１から４のいずれか１項に記載の動画像符号化装置を用いて符号化された動画像データから、インターレース画像データを復号する動画像復号装置であって、
符号化された動画像データを入力する入力手段と、
符号化された前記動画像データからサブバンドを復号するサブバンド復号手段と、
第１フレームの符号化データから復号されたサブバンドを合成して該第１フレームに関する奇数フィールドを復元する第１のサブバンド合成手段と、
前記第１フレームの次の第２フレームの符号化データから復号されたサブバンドを合成して前記第１フレームに関する偶数フィールドを復元する第２のサブバンド合成手段と、
復元された前記第１フレームに関する奇数又は偶数フィールドを出力する出力手段と
を備えることを特徴とする動画像復号装置。
【請求項８】  前記符号化データをインターレース又はノンインターレースのいずれで復号するかを選択する選択手段をさらに備え、
インターレースでの復号が選択された場合、前記入力手段は、予め定められた周波数成分の符号化データを含まない符号化データのみを入力し、
ノンインターレースでの復号が選択された場合、前記入力手段は、予め定められた周波数成分の符号化データを含むすべての符号化データを入力し、前記第１のサブバンド合成手段は、入力された第１フレームに関する符号化データから復号されたサブバンドを合成して該第１フレームを復元し、前記第２のサブバンド合成手段は、前記第１フレームの次の第２フレームに関する符号化データから復号されたサブバンドを合成して該第２フレームを復元する
ことを特徴とする請求項７記載の動画像復号装置。
【請求項９】  請求項５又は請求項６に記載の動画像符号化装置を用いて符号化された動画像データから、インターレース画像データを復号する動画像復号装置であって、
前記動画像データの第１フレーム及び該第１フレームの次の第２フレームに関する前記符号化データを入力する入力手段と、
前記符号化データからサブバンドを復号するサブバンド復号手段と、
前記符号化データから復号されたサブバンドを合成して第１フレーム及び第２フレームを復元するサブバンド合成手段と、
前記第１フレームの次の第２フレームのラインデータを１ラインシフトするラインシフト手段と、
前記第１フレームから奇数フィールドを出力し、１ラインシフトされた次の第２フレームから偶数フィールドを出力する出力手段と
を備えることを特徴とする動画像復号装置。
【請求項１０】  前記符号化データをインターレース又はノンインターレースのいずれで復号するかを選択する選択手段をさらに備え、
インターレースでの復号が選択された場合、前記入力手段は、予め定められた周波数成分の符号化データを含まない符号化データのみを入力する
ことを特徴とする請求項９記載の動画像復号装置。
【請求項１１】  前記符号化データをインターレース又はノンインターレースのいずれで復号するかを選択する選択手段をさらに備え、
ノンインターレースでの復号が選択された場合、前記入力手段は、予め定められた周波数成分の符号化データを含むすべての符号化データを入力し、
前記出力手段は、入力された符号化データから復元された第１フレーム及び該第１フレームの次の第２フレームを出力する
ことを特徴とする請求項９記載の動画像復号装置。
【請求項１２】  ノンインターレースの動画像データを符号化する動画像符号化方法であって、
ノンインターレースの動画像データの第１フレームを周波数変換して複数のサブバンドに分解する第１のサブバンド分解工程と、
前記第１フレームの次の第２フレームを、前記第１のサブバンド分解工程とは異なる方法で周波数変換し、複数のサブバンドに分解する第２のサブバンド分解工程と、
複数のサブバンドに分解された前記第１及び第２フレームを符号化する符号化工程と
を有することを特徴とする動画像符号化方法。
【請求項１３】  前記第１のサブバンド分解工程と第２のサブバンド分解工程は、最初の垂直方向のサブバンド分解において分解フィルタの適用方法が１ライン分ずれていることを特徴とする請求項１２記載の動画像符号化方法。
【請求項１４】  前記第１のサブバンド分解工程および第２のサブバンド分解工程は、前記第１及び第２フレームを垂直方向に周波数変換して２つのサブバンドに分解し、一方のサブバンドについて水平方向、垂直方向に更に同数分解することを特徴とする請求項１２又は１３記載の動画像符号化方法。
【請求項１５】  前記第１及び第２のサブバンド分解工程が、２次元離散ウェーブレット変換を用いて前記第１及び第２フレームのそれぞれを複数のサブバンドに分解することを特徴とする請求項１２から１４のいずれか１項に記載の動画像符号化方法。
【請求項１６】  ノンインターレースの動画像データを符号化する動画像符号化方法であって、
ノンインターレースの動画像データの第１フレームの次の第２フレームを垂直方向に１ラインデータ分シフトさせるラインシフト工程と、
前記第１フレーム及び１ラインデータ分シフトされた前記第２フレームを周波数変換して複数のサブバンドに分解するサブバンド分解工程と、
複数のサブバンドに分解された前記第１及び第２フレームを符号化する符号化工程と
を有することを特徴とする動画像符号化方法。
【請求項１７】  前記サブバンド分解工程が、２次元離散ウェーブレット変換を用いて前記第１及び第２フレームのそれぞれを複数のサブバンドに分解することを特徴とする請求項１６記載の動画像符号化方法。
【請求項１８】  請求項１２から１５のいずれか１項に記載の動画像符号化方法を用いて符号化された動画像データから、インターレース画像データを復号する動画像復号方法であって、
前記符号化された動画像データからサブバンドを復号するサブバンド復号工程と、
第１フレームの符号化データから復号されたサブバンドを合成して該第１フレームに関する奇数フィールドを復元する第１のサブバンド合成工程と、
前記第１フレームの次の第２フレームの符号化データから復号されたサブバンドを合成して前記第１フレームに関する偶数フィールドを復元する第２のサブバンド合成工程と
を有することを特徴とする動画像復号方法。
【請求項１９】  前記符号化データをインターレース又はノンインターレースのいずれで復号するかを選択する選択工程をさらに有し、
インターレースでの復号が選択された場合、前記復号工程は、予め定められた周波数成分の符号化データを含まない符号化された動画像データを復号し、
ノンインターレースでの復号が選択された場合、前記復号工程は、予め定められた周波数成分の符号化データを含むすべての符号化された動画像データから復号されたサブバンドを合成して該第１フレームを復元し、前記第２のサブバンド合成手段は、前記第１フレームの次の第２フレームに関する符号化データから復号されたサブバンドを合成して該第２フレームを復元する
ことを特徴とする請求項１８記載の動画像復号方法。
【請求項２０】  請求項１６又は１７に記載の動画像符号化方法を用いて符号化された動画像データから、インターレース画像データを復号する動画像復号方法であって、
前記動画像データの第１フレーム及び該第１フレームの次の第２フレームに関する前記符号化データからサブバンドを復号するサブバンド復号工程と、
前記符号化データから復号されたサブバンドを合成して第１フレーム及び該第１フレームの次の第２フレームを復元するサブバンド合成工程と、
前記第１フレームの次の第２フレームのラインデータを１ラインシフトするラインシフト工程と、
前記第１フレームから奇数フィールドを出力し、１ラインシフトされた第２フレームから偶数フィールドを出力する出力工程と
を有することを特徴とする動画像復号方法。
【請求項２１】  前記符号化データをインターレース又はノンインターレースのいずれで復号するかを選択する選択工程をさらに有し、
インターレースでの復号が選択された場合、前記復号工程は、予め定められた周波数成分の符号化データを含まない符号化データからサブバンドを復号する
ことを特徴とする請求項２０記載の動画像復号方法。
【請求項２２】  前記符号化データをインターレース又はノンインターレースのいずれで復号するかを選択する選択工程をさらに有し、
ノンインターレースでの復号が選択された場合、前記復号工程は、予め定められた周波数成分の符号化データを含むすべての符号化データからサブバンドを復号し、
前記出力工程は、入力された符号化データから復元された第１フレーム及び該第１フレームの次の第２フレームを出力する
ことを特徴とする請求項２０記載の動画像復号方法。
【請求項２３】  ノンインターレースの動画像データを符号化するためのコンピュータプログラムであって、
ノンインターレースの動画像データの第１フレームを周波数変換して複数のサブバンドに分解する第１のサブバンド分解工程と、
前記第１フレームの次の第２フレームを、前記第１のサブバンド分解工程とは異なる方法で周波数変換し、複数のサブバンドに分解する第２のサブバンド分解工程と、
複数のサブバンドに分解された前記第１及び第２フレームを符号化する符号化工程と
をコンピュータに実行させるためのコンピュータプログラム。
【請求項２４】  請求項２３記載のコンピュータプログラムを格納したことを特徴とするコンピュータ読み取り可能な記憶媒体。
【請求項２５】  符号化された動画像データから、インターレース画像データを復号するコンピュータプログラムであって、
前記符号化された動画像データからサブバンドを復号するサブバンド復号工程と、
第１フレームの符号化データから復号されたサブバンドを合成して該第１フレームに関する奇数フィールドを復元する第１のサブバンド合成工程と、
前記第１フレームの次の第２フレームの符号化データから復号されたサブバンドを合成して前記第１フレームに関する偶数フィールドを復元する第２のサブバンド合成工程と
をコンピュータに実行させるためのコンピュータプログラム。
【請求項２６】  請求項２５記載のコンピュータプログラムを格納したことを特徴とするコンピュータ読み取り可能な記憶媒体。